(57)【特許請求の範囲】
【請求項１】
射出ユニットの先端に固定された射出ノズルからの樹脂飛散を防止する樹脂飛散防止カバーと、前記射出ノズルと金型とが接触する金型タッチ部を照らすための照明装置と、前記照明装置を固定する固定部材と、を備える射出成形機において、
前記樹脂飛散防止カバーが開閉可能な開閉部を有し、前記固定部材が前記開閉部の開閉に連動可能に蝶番により連結されていることを特徴とする射出成形機。
【請求項２】
前記照明装置を前記樹脂飛散防止カバーの外面部に備え、
前記樹脂飛散防止カバーの前記開閉部以外の部位に前記照明装置の移動領域を制限するための案内部材と、
前記照明装置または前記固定部材に前記案内部材に案内させるための被案内部材と、
を備え、
前記開閉部の開閉動作時に前記被案内部材が前記案内部材によって案内されて前記固定部材と前記照明装置が移動することを特徴とする請求項１に記載の射出成形機。
【発明の詳細な説明】
【技術分野】
【０００１】
射出成形機において、ノズル周りおよび金型タッチ部に明かりを提供する照明を備えた樹脂飛散防止カバーに関する。
【背景技術】
【０００２】
射出成形では、射出成形機を停止させる際、または色替え、樹脂替えの際に加熱筒内部の樹脂をパージする作業を行う。このパージは、ノズル先端部が金型にタッチしていない状態で行われるため、加熱筒内部のガスや残留圧力の解放の影響で樹脂がノズル先端から飛び出す危険がある。そのため、この樹脂の飛散から作業者を守るためにノズル先端部を覆う樹脂飛散防止カバーを取付けている射出成形機が存在する。樹脂飛散防止カバーはノズル先端部を含む加熱筒先端部の広い空間を覆う構造で固定盤に取付けられることが多いが、樹脂飛散防止カバーを設置するとその内部が暗くなり金型タッチ部の状況確認がしづらくなる問題がある。
【０００３】
特許文献１では、照明手段として真空室の天井に蛍光灯を設置することで金型などを明るく照らす手段を提案している。
【０００４】
特許文献２では、テレビカメラで鮮明な像を得るために射出ノズルの近傍に照明を設置する手段を提案している。
【０００５】
特許文献３では、射出ノズルと金型との接触部を照明装置で照らす射出成形機が開示されている。
【先行技術文献】
【特許文献】
【０００６】
【特許文献１】特開２００５−２９７５２８号公報
【特許文献２】特開平６−３２８５２７号公報
【特許文献３】特開２０１４−１６２１７３号公報
【発明の概要】
【発明が解決しようとする課題】
【０００７】
特許文献１の手段では、天井からの明かりではノズル周りを覆う樹脂飛散防止カバーの内側を照らすことができず、本発明のようにノズルタッチ部へ明かりを提供することはできない。
【０００８】
特許文献２の手段では、ノズルから射出される飛散樹脂や加熱筒からの熱の影響から照明を保護することができない。
【０００９】
特許文献３の射出成形機では、照明装置の設置位置によっては樹脂飛散防止カバーを開閉した時に樹脂飛散防止カバーが照明装置に干渉する可能性がある。
【００１０】
また、図２に示すように、金型タッチ部へ明かりを提供する手段として、射出成形機の上方に照明１Ａを設置する方法や、照明１Ｂのように金型タッチ部近傍に照明を設置する方法が提案されている。
しかし、射出成形機の上方に照明１Ａを設置する手段では、樹脂飛散防止カバーに光が遮られて金型タッチ部を照射することができない。また、照明１Ｂのように金型タッチ部近傍に照明を設置する手段では、加熱筒からの熱の影響や溶融樹脂の飛散から照明を保護することができないため保護用のカバーなどの装置が必要であり、成形中に照明が破損した場合には取り外し作業が困難である。
【００１１】
さらに、射出成形機で溶融樹脂をパージする際の安全カバーとして固定盤に取付けられる樹脂飛散防止カバーが既に提案されているが、従来の樹脂飛散防止カバーではカバーで覆われた内部が暗くなり金型タッチ部などの確認がしづらい問題がある。
【課題を解決するための手段】
【００１２】
本発明は、照明を樹脂飛散防止カバーの外側に設置することで加熱筒からの熱の影響や、飛散樹脂から照明を保護しながら、樹脂飛散防止カバーで覆われた内部へ明かりを提供できることを特徴とする。
【００１３】
請求項１に係る発明は、射出ユニットの先端に固定された射出ノズルからの樹脂飛散を防止する樹脂飛散防止カバーと、前記射出ノズルと金型とが接触する金型タッチ部付近を照らすための照明装置と、前記照明装置を固定する固定部材と、を備える射出成形機において、前記樹脂飛散防止カバーが開閉可能な開閉部を有し、前記固定部材が前記開閉部の開閉に連動可能に蝶番により連結されていることを特徴とする射出成形機である。
開閉動作が可能な樹脂飛散防止カバーに金型タッチ部や樹脂飛散防止カバー内側へ明かりを提供できる照明装置を備え、この照明装置が樹脂飛散防止カバーと連動して動くことで樹脂飛散防止カバーの開閉動作を妨げないように取り付けられていることを特徴とする。
【００１４】
請求項２に係る発明は、前記照明装置を前記樹脂飛散防止カバーの外面部に備え、前記樹脂飛散防止カバーの前記開閉部以外の部位に前記照明装置の移動領域を制限するための案内部材と、前記照明装置または前記固定部材に前記案内部材に案内させるための被案内部材と、を備え、前記開閉部の開閉動作時に前記被案内部材が前記案内部材によって案内されて前記固定部材と前記照明装置が移動することを特徴とする請求項１に記載の射出成形機である。
照明装置を樹脂飛散防止カバーの外側に取付けることで加熱筒からの熱の影響やノズル先端部から射出される飛散樹脂から照明を保護できることを特徴とする。
【発明の効果】
【００１８】
本発明により、樹脂飛散防止カバーの内側や金型タッチ部へ確実に明かりを提供するとともに、照明を開閉可能な樹脂飛散防止カバーと連動させて動かせるように取付けることで樹脂飛散防止カバーの開閉動作を妨げることがなく、また、照明を樹脂飛散防止カバーから容易に取外し可能に取付けることで作業者の邪魔にならないように照明を設置することができる。これにより照明装置の配置制限を緩和できるようになった。
【００１９】
また、照明を樹脂飛散防止カバーの外側に取付けることで熱や溶融樹脂から保護することができ、照明の破損を防止することを可能にした。さらに、照明を射出ユニットの前後進動作に連動して点灯消灯できるようにすることで無駄なく照明を点灯させることができ、照明の寿命を損なうことがない。
【図面の簡単な説明】
【００２０】
【図１】成形機実装例を示す図である。
【図２】従来の照明と樹脂飛散防止カバー（詳細Ａ）を示す図である。
【図３】ノズル周りの配置関係図（Ｂ−Ｂ）である。
【図４】樹脂飛散防止カバーと照明を示す図である。
【図５】樹脂飛散防止カバーの開閉と照明の連動を示す図である。
【図６】照明の取外しを示す図である。
【発明を実施するための形態】
【００２１】
本発明の実施形態を図と共に説明する。
図３、図４、図５に示すように、射出成形機には樹脂飛散防止カバー２Ａ，２Ｂが実装されている。蝶番３Ａを用いて開閉可能に取付けられた樹脂飛散防止カバー２Ｂの外側には、照明固定部材に固定された照明１が取付けられ、照明１の明かりを樹脂飛散防止カバー２Ｂに設けた透明板を備えた窓を通して金型タッチ部や樹脂飛散防止カバー２Ｂの内側へ照射することができる。ここで、照明を樹脂飛散防止カバー２Ｂが開く方向に取付けると樹脂飛散防止カバー２Ｂの開閉動作を妨げる場合があるが、蝶番３Ｂを用いて照明固定部材と樹脂飛散防止カバー２Ｂを接続して照明１を樹脂飛散防止カバー２Ｂに対して動作可能に取付けることで、樹脂飛散防止カバー２Ｂの開閉動作に連動させて照明１を移動させることができ、照明１が樹脂飛散防止カバー２Ｂの開閉動作を妨げることはない。また、照明１は樹脂飛散防止カバーの外側に取付けられているため、加熱筒からの熱の影響やノズル先端部から射出される飛散樹脂から照明１を保護できる。
【００２２】
図４、図５に示すように、照明固定部材にローラを取付けて、ローラが樹脂飛散防止カバーに設置されたガイドに沿って移動するように組付けることで、照明１は樹脂飛散防止カバー２Ｂの開閉時に作業者が意図する軌道上を動かすことができる。また、照明１はガイドで拘束されるため、樹脂飛散防止カバー２Ｂが閉じて固定されているときに照明１が不用意に動くことはない。
【００２３】
図６に示すように、照明１を取付けている蝶番３Ｂに抜き差し蝶番を用いることで、樹脂飛散防止カバー２Ｂから容易に取外し可能に取付けることができる。作業者が金型タッチ部や樹脂飛散防止カバーの内側の確認作業を行う際に照明１が邪魔になる場合には、照明１を取外してこれを回避することができ、取外した照明１で任意の箇所に明かりを提供することもできる。
【００２４】
照明は射出ユニットの前後進動作に連動して点灯消灯させることが可能で、ノズル先端を金型にタッチさせる際に自動的に明かりを提供することができ、また、作業者が消灯を忘れることを防止できる。
【符号の説明】
【００２５】
１  照明
２Ａ，２Ｂ  樹脂飛散防止カバー
３Ａ，３Ｂ  蝶番
【図１】
0006010084.tif 000002
【図２】
0006010084.tif 000003
【図３】
0006010084.tif 000004
【図４】
0006010084.tif 000005
【図５】
0006010084.tif 000006
【図６】
0006010084.tif 000007